(57)【要約】 【課題】ＬＥＤをツバの先端部の下面に配置したものは、光線の方向によっては被着者の目に入って前方目視が困難になる恐れがあり、帽子を脱着する度に手がＬＥＤに触れることになり、ＬＥＤの損傷や汚れの原因となる。また、電源としてボタン電池を採用したものは、電池残量の確認が甚だ面倒である。【解決手段】 本発明に係るＬＥＤ照明付き頭部被り物は、光電変換素子(1)の複数個を電気的に導結した太陽光発電シート(2)を太陽光受光面(3)に配設する。前頭部(4)に発光体であ  る複数のＬＥＤ(5)を電気的に導結して配列した照明具(6)を設ける。該太陽光発電シート(2)と該照明具(6)を電気回路(7)で導結し、該電気回路(7)に電池(8)を設けると共に該電池(8)と該照明具(6)間に開閉器(9)を設ける。【選択図】図１
2013167033.tif 000002
【特許請求の範囲】
【請求項１】
光電変換素子(1)の複数個を電気的に導結した太陽光発電シート(2)を太陽光受光面(3)に配設し、前頭部(4)に発光体である複数のＬＥＤ(5)を電気的に導結して配列した照明具(6)を設け、該太陽光発電シート(2)と該照明具(6)を電気回路(7)で導結し、該電気回路(7)に電池(8)を設けると共に該電池(8)と該照明具(6)間に開閉器(9)を設けたことを特徴とするＬＥＤ照明付き頭部被り物。
【請求項２】
該太陽光発電シート(2)は単位片(21)の複数枚が各別に該太陽光受光面(3)に添着されて電気的に導結されたものである請求項１に記載のＬＥＤ照明付き頭部被り物。
【請求項３】
該照明具(6)の設置位置は鍔(10)の基部(11)の直上となっている請求項１又は２に記載のＬＥＤ照明付き頭部被り物。
【請求項４】
該照明具(6)は匣体(61)にＬＥＤ(5)を配列したものである請求項１、２又は３に記載のＬＥＤ照明付き頭部被り物。
【請求項５】
該匣体(61)は開口面(62)が長方形(63)を呈している請求項１、２、３又は４に記載のＬＥＤ照明付き頭部被り物。
【請求項６】
該匣体(61)は開口面(64)が馬蹄形(65)を呈している請求項１、２、３又は４に記載のＬＥＤ照明付き頭部被り物。
【請求項７】
該匣体(61)は開口面(66)が連続する閉面形(67)を呈している請求項１、２、３又は４に記載のＬＥＤ照明付き頭部被り物。
【請求項８】
該電池(8)は一次電池(81)と二次電池(82)を包含しており、該開閉器(9)は該一次電池(81)と二次電池(82)を選択的に断続するようになっている請求項１から７の一つの項に記載のＬＥＤ照明付き頭部被り物。
【発明の詳細な説明】
【技術分野】
【０００１】
本発明はＬＥＤ照明付き頭部被り物、より具体的には帽子やヘルメットに関する。
【背景技術】
【０００２】
従来、炭鉱の工夫や隧道工事に従事する作業員等が被るヘルメットに照明用の電球を取り付けたものが広く知られている。また、登山帽などでも、夜間登攀用としてライトを設けたものが知られている。
【０００３】
近くでは、帽子のツバの前方先端にＬＥＤ１取り付け、電源として帽子の表生地と見返しとの間に開閉自在の袋３設けてその中にボタン電池４嵌挿するためのソケットを埋設し、ツバの裏側に埋め込んだスイッチ２入れるとＬＥＤ１点灯するようにしたツバ有り帽子が特開２００９−２９３１４６号公報（特許文献１）に開示されている。
【０００４】
更に、ツバの先端に設けるＬＥＤアレイ３が外部に露出しないように、プリム周縁体２４で覆い、このプリム周縁体を通して外部に導光させるようにした帽子も実用新案登録第３１６２０４８号公報に開示されている。
【先行技術文献】
【特許文献】
【０００５】
【特許文献１】特開２００９−２９３１４６号公報
【特許文献２】実用新案登録第３１６２０４８号公報
【発明の概要】
【発明が解決しようとする課題】
【０００６】
特許文献１に記載の発明は、ＬＥＤ１の発する光線がどの方向を向くのか明確でないが、ツバの先端部の下面に配置されているので、光線の方向によっては被着者の目に入って前方目視が困難になる恐れがある。また、帽子を脱着する度に手がＬＥＤに触れることになり、ＬＥＤの損傷や汚れの原因となる。
【０００７】
特許文献２に記載の考案は電源５としてボタン電池５１を採用しているため、常に電池残量に気を配る必要があり、残量の測定には測定器等を使わねばならず、甚だ面倒である。
本発明は、太陽光発電シートを併用することにより、電池残量に特別な注意を払うことなく、ＬＥＤによる照明機能を果たせるＬＥＤ照明付き頭部被り物を提供することを目的とする。
【課題を解決するための手段】
【０００８】
（請求項１）本発明に係るＬＥＤ照明付き頭部被り物は、光電変換素子の複数個を電気的に導結した太陽光発電シートを太陽光受光面に配設する。前頭部に発光体である複数のＬＥＤを電気的に導結して配列した照明具を設ける。該太陽光発電シートと該照明具を電気回路で導結する。そして、該電気回路に電池を設けると共に該電池と該照明具間に開閉器を設ける。
【０００９】
日の当るところでこの頭部被り物を使用すると、太陽光エネルギーが光電変換素子により電気のエネルギーに変換され、発生した電気は電気回路に流れて電池に蓄えられる。そのため、太陽光が降り注いでいる場所でこの頭部被り物を使用していれば、電池には電気が常に蓄えられていることになる。そのため、乾電池を使用した場合のように、残量不足を心配する必要が無い。
【００１０】
照明具は前頭部に設けられているので、光線が目に入ったりせず、目視作業に支障を生じない。また、ＬＥＤを鍔に設けた場合のように、手による着脱操作でＬＥＤが損傷したりすることもない。
【００１１】
夜間に作業をする場合や、暗い場所で作業をする場合等では、必要に応じてＬＥＤを随時発光させることができる。即ち、開閉器により電気回路を接続してやれば電池から電気が流出し、ＬＥＤが点灯する。消灯する場合は開閉器により電気回路を遮断すればよい。
【００１２】
（請求項２）該太陽光発電シートは単位片の複数枚が各別に該太陽光受光面に添着されて電気的に導結されたものであってもよい。
こうすると、該太陽光発電シートは分割状態なので頭部被り物に対する添着が容易で、破損した場合や、汚れて発電効率が低下した場合、その単位片だけを取り替え、又は清掃することができる。
【００１３】
（請求項３）該照明具の設置位置は鍔の基部の直上となっていてもよい。
こうすると、該照明具は頭部被り物の着脱操作に邪魔にならず、ＬＥＤの照射方向も目線からあまり離れないので対象物の視認に支障がない。
【００１４】
（請求項４）該照明具は匣体にＬＥＤを配列したものであってもよい。
こうすると、ＬＥＤは複数個を単一の匣体に収容できるので、照明具の取扱が容易である。
【００１５】
（請求項５）該匣体は開口面が長方形を呈していてもよい。
こうすると、ＬＥＤの配列と電気的の導結が容易で、水平面上で前方の広範囲を照射できる。
【００１６】
（請求項６）該匣体は開口面が馬蹄形を呈していてもよい。
こうすると、社章等の標示が鍔の基部の直上に表示されている場合、該匣体を正立状態、即ち、馬蹄形の開口部を下にした状態で標示を隠すことなく頭部被り物に添着することができ、照射範囲を３次元的範囲に及ぼさせることができ、鍔の上面に沿った部分での無駄な照射を省くことができる。
【００１７】
（請求項７）該匣体は開口面が連続する閉面形を呈していてもよい。
こうすると、前頭部にその鍔から上方へ離れた位置に社章等の標示がある場合、その標示の全周を囲んで該匣体を添着でき、鍔の上面に沿ってのＬＥＤによる照射も可能で照射範囲を３次元的範囲に及ぼさせることができる。
【００１８】
（請求項８）該電池は一次電池と二次電池を包含しており、該開閉器は該一次電池と二次電池を選択的に断続するようになっていてもよい。
こうすると、双方の電池を選択的に採用できるので、一方が電気切れになっても、他方の電池を供用することにより、照明の継続ができる。
【発明の効果】
【００１９】
（請求項１）本発明に係るＬＥＤ照明付き頭部被り物によれば、以下に記載の効果を奏する。
太陽光発電シートを頭部被り物の太陽光受光面に配設したので、日の当るところでこの頭部被り物を使用することにより電池に電気を常に蓄えることができ、乾電池を使用した場合のように残量不足を心配することもない。
照明具は前頭部に設けられているので、光線が目に入って目視作業に支障を生じることもない。
ＬＥＤを鍔に設けた場合のように、手による着脱操作でＬＥＤが損傷したりすることもない。
夜間に作業をする場合や、暗い場所で作業をする場合等では、必要に応じてＬＥＤを随時発光させることができる。即ち、開閉器により電気回路を接続してやれば電池から電気が流出し、ＬＥＤが点灯する。消灯する場合は開閉器により電気回路を遮断すればよい。
【００２０】
請求項２によれば、該太陽光発電シートは分割状態なので、頭部被り物に対する添着が容易で、破損した場合や、汚れて発電効率が低下した場合、その単位片だけを取り替え、又は清掃することができる。
【００２１】
請求項３によれば、該照明具は頭部被り物の着脱操作に邪魔にならず、ＬＥＤの照射方向も目線からあまり離れないので対象物の視認に支障がない。
【００２２】
請求項４によれば、ＬＥＤは複数個を単一の匣体に収容できるので、照明具の取扱が容易である。
【００２３】
請求項５によれば、ＬＥＤの配列と電気的の導結が容易で、水平面上で前方の広範囲を照射できる。
【００２４】
請求項６によれば、社章等の標示が鍔の直上に表示されている場合でも、標示を隠すことなく囲んで頭部被り物に添着することができ、照射範囲を３次元的範囲に及ぼさせることができ、鍔の上面に沿った部分での無駄な照射を省くことができる。
【００２５】
請求項７によれば、前頭部にその鍔から上方へ離れた位置に表示されている標示の全周を囲んで該匣体を添着でき、鍔の上面に沿ってのＬＥＤによる照射も可能で照射範囲を３次元的範囲に及ぼさせることができる。
【００２６】
請求項８によれば、双方の電池を選択的に採用でき、一方が電気切れになっても、他方の電池を供用して、照明の継続ができる。
【図面の簡単な説明】
【００２７】
【図１】本発明にかかるＬＥＤ照明付き頭部被り物の具体例を、通常の帽子を挙げて示す斜面図である。
【図２】太陽光発電シート２を展開し、かつ電気的に導結した状態の概念図である。
【図３】本発明にかかるＬＥＤ照明付き頭部被り物の具体例を、ヘルメットを挙げて示す斜面図である。
【図４】ヘルメットに社章等の標示６８があり、照明具６でこの標示を囲んだ状態の具体例である。
【図５】開口面６４が馬蹄形６５の正面図である。
【図６】開口面６６が閉面形６７の正面図である。
【発明を実施するための形態】
【００２８】
以下に、本発明の実施の形態を、図面を参照して、説明する。
（請求項１）図１は通常の帽子Ｓを示してあり、図３はヘルメットＨである。光電変換素子１の複数個を電気的に導結した太陽光発電シート２を、これらの帽子ＳやヘルメットＨの太陽光受光面３に接着等で配設する。前頭部４に発光体である複数のＬＥＤ５を電気的に導結して配列した照明具６を設け、太陽光発電シート２と照明具６を電気回路７で導結する。この電気回路７に電池８を設ける、この電池８と照明具６間に開閉器９を設ける。
【００２９】
この頭部被り物を日照下で使用すると、太陽光エネルギーが光電変換素子１により電気のエネルギーに変換され、発生した電気は電気回路７に流れて電池８に蓄えられる。そのため、乾電池を使用した場合のように、残量不足を心配する必要が無い。
【００３０】
照明具６は前頭部４に設けられているので、光線が目に入ったりせず、目視作業に支障を生じない。また、ＬＥＤ５を鍔１０に設けた場合のように、手による着脱操作でＬＥＤ５が損傷したり汚れたりすることもない。
【００３１】
照明が必要になったら開閉器９により電気回路７を接続してやる。これにより電池８から電気が流出し、ＬＥＤ５が点灯する。消灯する場合は開閉器９により電気回路７を遮断すればよい。
【００３２】
（請求項２）太陽光発電シート２は単位片２１の複数枚が各別に太陽光受光面３に添着されて電気的に導結されたものである。
この場合、太陽光発電シート２は分割状態なので、破損した場合や、汚れて発電効率が低下した場合はその単位片だけを頭部被り物から外し、取り替え、又は清掃することができる。
【００３３】
（請求項３）照明具６の設置位置は鍔１０の基部１１の直上となっている。
この場合、照明具６は頭部被り物の着脱操作に邪魔にならず、ＬＥＤ５の照射方向も目線からあまり離れないので対象物の視認に支障がない。
【００３４】
（請求項４）照明具６は匣体６１にＬＥＤ５を配列したものである。
この場合、ＬＥＤ５は複数個を単一の匣体６１に収容できるので、照明具６の取扱が容易である。
【００３５】
（請求項５）匣体６１は開口面６２が長方形６３を呈している。
この場合、ＬＥＤ５の配列と電気的の導結が容易で、水平面上で前方の広範囲を照射できる。
【００３６】
（請求項６）匣体６１は開口面６４が馬蹄形６５を呈している。
この場合、社章等の標示６８が鍔１０の基部１１の直上に表示されている場合、匣体６１を正立状態、即ち、馬蹄形６５の開口部を下にした状態で標示６８を隠すことなく頭部被り物に添着することができる。また、照射範囲を３次元的範囲に及ぼさせることができ、鍔１０の上面に沿った部分での無駄な照射を省くことができる。更に、前頭部４に社章等の標示６８がある場合にこれを隠すことなく囲んで添着できる。
【００３７】
（請求項７）匣体６１は開口面６６が連続する閉面形６７を呈している。
この場合、前頭部４にその鍔１０から上方へ離れた位置に社章等の標示６８がある場合、その標示６８の全周を囲んで匣体６１を添着できる。また、鍔１０の上面に沿ってのＬＥＤ５による照射も可能で照射範囲を３次元的範囲に及ぼさせることができる。
【００３８】
（請求項８）電池８は一次電池８１と二次電池８２を包含しており、開閉器９はこの一次電池８１と二次電池８２を選択的に断続するようになっている。
この場合、双方の電池８１と８２を選択的に採用できるので、一方が電気切れになっても、他方の電池を供用することにより、照明の継続ができる。
【符号の説明】
【００３９】
Ｓ      帽子
Ｈ      ヘルメット
１      光電変換素子          
２      太陽光発電シート      
３      太陽光受光面
４      前頭部
５      ＬＥＤ
６      照明具
７      電気回路
８      電池
９      開閉器
１０    鍔
１１    基部
２１    単位片
６１    匣体
６２    開口面
６３    長方形
６４    開口面
６５    馬蹄形
６６    開口面
６７    平面形
６８    標示
【図１】
2013167033.tif 000003
【図２】
2013167033.tif 000004
【図３】
2013167033.tif 000005
【図４】
2013167033.tif 000006
【図５】
2013167033.tif 000007
【図６】
2013167033.tif 000008